(57)【要約】【課題】簡易に構成され、特異な外光があっても照明エリアを目標照度で照明できる照明制御装置および照明装置を提供する。【解決手段】照明制御装置５は、照度入力手段２０に入力された照度値から照明エリア１１の外光による照度値を演算するとともに、外光による照度値に対して照明エリア１１以外からの反射光による照度値を補正する外光レベル演算手段２１と、照明エリア１１の照明器具３による照度値が予め設定された目標照度から外光レベル演算手段２１により演算かつ補正された外光による照度値を減じた値となるように、照明負荷９の調光率を制御する制御手段２８を具備する。【選択図】図４
2004303663.tif 000002
【特許請求の範囲】
【請求項１】
外光が入射される窓を有する部屋の天井側に配設されている照度センサから照明エリアの照度値が入力される照度入力手段と；
照度入力手段に入力された照度値から照明エリアの外光による照度値を演算するとともに、外光による照度値に対して照明エリア以外からの反射光による照度値を補正するように形成されている外光レベル演算手段と；
照明エリアの照明器具による照度値が予め設定された目標照度から外光レベル演算手段により演算かつ補正された外光による照度値を減じた値となるように、照明負荷の調光率を制御する制御手段と；
を具備していることを特徴とする照明制御装置。
【請求項２】
外光が入射される窓を有する部屋の天井側に配設されている照度センサから照明エリアの照度値が入力される照度入力手段と；
照度センサの位置情報が入力される位置情報入力手段と；
位置情報入力手段に入力された照度センサの位置情報を記憶している記憶手段と；
照度センサの位置情報に基づいて照明エリアの外光による照度値を演算する外光レベル演算手段と；
照明エリアの照明器具による照度値が予め設定された目標照度から外光レベル演算手段により演算された外光による照度値を減じた値となるように、照明負荷の調光率を制御する制御手段と；
を具備していることを特徴とする照明制御装置。
【請求項３】
外光レベル演算手段は、照度センサの窓からの水平距離に応じて外光による照度値を演算することを特徴とする請求項１または２記載の照明制御装置。
【請求項４】
外光レベル演算手段による前記補正は、外部信号により停止されることを特徴とする請求項１または３記載の照明制御装置。
【請求項５】
請求項１ないし４いずれか一記載の照明制御装置と；
照明制御装置により調光率が制御される照明負荷が配設され、所定の照明エリアを照明する照明器具と；
照明器具が照明する照明エリアからの反射光を検出して照明制御装置の照度入力手段に入力する照度センサと；
を具備していることを特徴とする照明装置。
【発明の詳細な説明】
【０００１】
【発明の属する技術分野】本発明は、天井側に配設された照度センサの検出値に応じて、照明エリアを一定照度で照明する照明制御装置および照明装置に関する。
【０００２】
【従来の技術】照度センサを用いて机上面や床面などの被照射面の照度を一定に制御することが行われている。従来、照度センサは、物理上の問題から天井面に設置され、机上面や床面などの反射光を検出している。この反射光は、被照射面の照度に正の相関関係を有している。
【０００３】
ところで、夕刻になると、特に階が高くなるにしたがい、西日またはその反射光が天井面に照射されて照度センサに入射されるようになる。あるいは、窓に設けたブラインドの昇降状態または開閉状態により、ブラインドからの反射光が照度センサに入射される。照度センサは、入射されている反射光を被照射面からの反射光とするので、照度センサに入射される被照射面以外からの反射光が多くなるにしたがい、照明器具からの放射光は、次第に低減される。この結果、被照射面が目標照度で照明されなくなって暗くなるという問題が発生する。
【０００４】
ここで、上述のような外光の変化によっても、机上等の照度を一定に保つことのできる照明制御装置が提供されている。この照明制御装置は、テレビカメラ等の撮像手段および照度計測手段などを具備しており、被照射領域の机上等の照度を計測して、その明るさに応じて照明器具の照明制御を行うものである（特許文献１参照。）。
【０００５】
また、窓面光強度検出手段および窓面光強度検出手段の検出値に応じて外光のみによる室内の照度分布状態を推定する外光照度分布推定部を具備した照明制御システムが提供されている。この照明制御システムは、室内の各位置における外光照度値が分かり、その各位置での照明器具による照度値が明確となって、目標照度での照明制御が行いやすくなるというものである（特許文献２参照。）。
【０００６】
【特許文献１】特開平１０−１６２９６７号公報（第３−５頁、第１図）
【０００７】
【特許文献２】特開平９−３１２１９８号公報（第５−６頁、第２図）
【０００８】
【発明が解決しようとする課題】特許文献１および特許文献２は、西日が照度計測手段や窓面撮像手段などに入射されるおそれがあり、西日に対する対策が十分になされていないという欠点を有する。また、特許文献１は、テレビカメラ等の撮像手段および照度計測手段などを具備するので、照明制御装置の構成が複雑となり、高価になるという欠点を有する。また、特許文献２は、窓面光強度検出手段および外光照度分布推定部などを具備するので、同じく、照明制御システムの構成が複雑であり、高価になるという欠点を有する。
【０００９】
本発明は、簡易に構成され、特異な外光があっても照明エリアを目標照度で照明できる照明制御装置および照明装置を提供することを目的とする。
【００１０】
【課題を解決するための手段】請求項１に記載の照明制御装置の発明は、外光が入射される窓を有する部屋の天井側に配設されている照度センサから照明エリアの照度値が入力される照度入力手段と；照度入力手段に入力された照度値から照明エリアの外光による照度値を演算するとともに、外光による照度値に対して照明エリア以外からの反射光による照度値を補正するように形成されている外光レベル演算手段と；照明エリアの照明器具による照度値が予め設定された目標照度から外光レベル演算手段により演算かつ補正された外光による照度値を減じた値となるように、照明負荷の調光率を制御する制御手段と；を具備していることを特徴とする。
【００１１】
本発明および以下の各発明において、特に言及しない限り、各構成は以下による。
【００１２】
照度センサは、入力した反射光に応じた電圧を出力する。この出力電圧は、照明エリアの照度値と正の相関関係を有している。したがって、照度入力手段が照明エリアの照度値を入力するとは、当該照度値に相関している出力電圧が入力されることを意味する。
【００１３】
外光レベル演算手段による照明エリアの外光による照度値は、例えば以下により演算される。すなわち、夜間などの外光がない状態において、照明負荷の調光率を変化させて点灯させ、その調光率における照明器具による照度値に対する照度センサの出力電圧を予め取得しておく。そして、照度入力手段に入力された照度センサの出力電圧から、そのときの調光率における照明器具による照度値に対する照度センサの出力電圧を減じた値が照明エリアの外光による照度値とすることができる。
【００１４】
そして、上記照明負荷の調光率に対する照度センサの出力電圧は、予め記憶部に記憶させている。このとき、照明負荷は、点灯時間の経過とともに光束が低下するので、上記照明負荷の調光率に対する照度センサの出力電圧を照明負荷の累積点灯時間に応じて補正するようにしてもよく、あるいは、定期的に、上記照明負荷の調光率に対する照度センサの出力電圧は取得するようにしてもよい。
【００１５】
本発明によれば、外光レベル演算手段により、外光による照度値に対して照明エリア以外からの反射光による照度値が補正され、制御手段により、補正された外光による照度値および照明器具による照度値の合計が予め設定された目標照度となるように照明負荷の調光率が制御されるので、太陽光の西日やブラインドの反射光などの特異な外光によらず、照明エリアは目標照度の照度で照明される。
【００１６】
請求項２に記載の照明制御装置の発明は、外光が入射される窓を有する部屋の天井側に配設されている照度センサから照明エリアの照度値が入力される照度入力手段と；照度センサの位置情報が入力される位置情報入力手段と；位置情報入力手段に入力された照度センサの位置情報を記憶している記憶手段と；照度センサの位置情報に基づいて照明エリアの外光による照度値を演算する外光レベル演算手段と；照明エリアの照明器具による照度値が予め設定された目標照度から外光レベル演算手段により演算された外光による照度値を減じた値となるように、照明負荷の調光率を制御する制御手段と；を具備していることを特徴とする。
【００１７】
本発明によれば、外光レベル演算手段により、照度センサの位置情報に基づいて照明エリアの外光による照度値が演算され、制御手段により、当該演算された外光による照度値および照明器具による照度値の合計が予め設定された目標照度となるように照明負荷の調光率が制御されるので、西日やブラインドの反射光などの特異な外光によらず、照明エリアは目標照度の照度で照明される。
【００１８】
請求項３に記載の照明制御装置の発明は、請求項１または２記載の照明制御装置において、外光レベル演算手段は、照度センサの窓からの水平距離に応じて外光による照度値を演算することを特徴とする。
【００１９】
本発明によれば、外光レベル演算手段は、照度センサの窓からの水平距離に応じて演算を行うので、外光による照度値が容易に演算される。
【００２０】
請求項４に記載の照明制御装置の発明は、請求項１または３記載の照明制御装置において、外光レベル演算手段による前記補正は、外部信号により停止されることを特徴とする。
【００２１】
太陽光の西日やブラインドの反射光などの特異な外光が照度センサに入力するおそれがないとき、あるいは、当該強度が低いときは、前記補正をしなくても、照明エリアの照度値を目標照度で照明することができる。
【００２２】
本発明によれば、外光レベル演算手段による前記補正を外部信号により停止させることにより、照度入力手段に入力される照度センサからの照明エリアの照度値に応じて、制御手段により照明負荷の調光率が制御され、照明エリアは目標照度で照明される。
【００２３】
請求項５に記載の照明装置の発明は、請求項１ないし４いずれか一記載の照明制御装置と；照明制御装置により調光率が制御される照明負荷が配設され、所定の照明エリアを照明する照明器具と；照明器具が照明する照明エリアからの反射光を検出して照明制御装置の照度入力手段に入力する照度センサと；を具備していることを特徴とする。
【００２４】
本発明によれば、太陽光の西日やブラインドの反射光などの特異な外光によらず、照明エリアを目標照度の照度値で照明させることのできる照明装置が提供される。
【００２５】
【発明の実施の形態】以下、本発明の一実施の形態について、図面を参照して説明する。
【００２６】
図１〜図５は、本発明の一実施の形態を示し、図１は照明装置の概略構成図、図２はセンサ装置および照明器具の概略配置図、図３はセンサ装置の斜視図、図４は照明制御装置のブロック図、図５は窓からの水平距離による外光の照度値の変化を示す説明図である。
【００２７】
照明装置１は、図１に示すように、センサ装置２および照明器具３を有して構成され、センサ装置２に照度センサ４および照明制御装置５が一体化されて設けられている。そして、センサ装置２および照明器具３は、太陽光が入射される窓６を有する部屋７の天井面（天井側）８に配置されている。そして、照明器具３は、図２に示すように、窓６に沿い列をなして配置され、センサ装置２（照度センサ４）は、照明器具３のそれぞれの列毎に、かつ列の略中心部に配置されている。そして、照度センサ４Ａ〜４Ｅは、窓６からの水平距離Ｌがそれぞれ２ｍ、６ｍ、１０ｍ、１４ｍ、１８ｍとなっている。この照度センサ４Ａ〜４Ｅの窓６からの水平距離Ｌは、照度センサ４の位置情報であり、後述の記憶部２４に記憶される。
【００２８】
照明器具３は、図１に示すように、照明負荷としての蛍光ランプ９が配設されていると共に、内部に蛍光ランプ９を調光点灯させる点灯装置１０を配設している。そして、図２に示すように、複数の照明器具３が列をなして部屋７の天井面８に配設されており、列毎の複数の照明器具３による照明により、列毎に所定の照明エリア１１が形成されている。
【００２９】
点灯装置１０は、高周波点灯装置であり、照明制御装置５から送信された調光信号例えばＰＷＭ調光信号に応じて蛍光ランプ１０を調光点灯させる。すなわち、蛍光ランプ１０は、照明制御装置５により調光率が制御される。この調光率の制御により、蛍光ランプ９の光出力が変化され、照明エリア１１の照度値が変化する。
【００３０】
センサ装置２は、図３に示すように、センサ装置本体１２、カバー１３および取付ばね１４，１４等を有して形成されている。そして、カバー１３には、外表面１３ａに露出するようにして、照度センサ４、受信素子１５、送信用ＬＥＤ１６および表示用ＬＥＤ１７などが配設されている。また、センサ装置本体１２は、内部に照明制御装置５（図示しない。）を収納し、側面１２ａに端子群１８を配設している。端子群１８は、照明制御装置５と照明器具３の点灯装置１０を接続する出力端子などにより形成されている。
【００３１】
照度センサ４は、照明器具３が照明する照明エリア１１内からの反射光により当該照明エリア１１内の照度を間接的に検出し、照明制御装置５に送出するように構成されている。受信素子１５は、ワイヤレス送信機（リモコン）１９から送信される制御信号を受信して照明制御装置５に送出するように構成されている。そして、送信用ＬＥＤ１６は、照明制御装置５から送出された返信信号などをワイヤレス送信機（リモコン）１９に向けて送信するものである。ここで、ワイヤレス送信機１９は、蛍光ランプ９を点消灯させる点滅信号や調光点灯させる調光信号、目標照度を設定する設定信号または解除する解除信号などの制御信号、後述の外光の照度値に対する補正の外部信号としての停止信号、照度センサ４の位置情報などを送信するとともに、点灯装置１０の調光下限値や蛍光ランプ９の調光率の状況、目標照度の設定の有無などの返信信号を受信するように構成されている。
【００３２】
表示用ＬＥＤ１７は、照明制御装置５の制御により、照明エリア１１の目標照度が設定されているときに点灯し、目標照度が設定されていないとき、あるいは目標照度が解除されたときに消灯するものである。この表示用ＬＥＤ１７の点消灯により、目標照度の設定の有無が視認され、認識される。
【００３３】
照明制御装置５は、図４に示すように、照度入力手段としての照度入力部２０、外光レベル演算手段としての外光レベル演算部２１、位置情報入力手段としてのワイヤレス受信部２２、ワイヤレス送信部２３、記憶手段としての記憶部２４、伝送部２５、表示部２６、電源部２７および制御手段としての制御部２８を有して構成されている。
【００３４】
照度入力部２０は、照度センサ４に電気接続され、照度センサ４の出力電圧（検出値）を入力して制御部２８に送出するように構成されている。ここで、照度センサ４の出力電圧は、照明器具３が照明する照明エリア１１の照度値と相関している。すなわち、照度入力部２０は、照明エリア１１の照度値を入力するものである。
【００３５】
照明エリア１１の照度値は、照明器具３が照明する照射光による照度値に、本来、照明エリア１１を照明するものでない他の照明器具３からの照射光や太陽光などからなる外光による照度値が加算されている。
【００３６】
外光レベル算出部２１は、照度入力部２０に入力された照明エリア１１の照度値から外光による照度値を演算するものである。すなわち、照度センサ４は、入力された反射光に応じた電圧（検出値）を出力する。また、蛍光ランプ９の調光率における照明器具３のみによる照度値に対する照度センサ４の出力電圧（検出値）が予め記憶部２４に記憶されている。そして、外光レベル演算部２１は、蛍光ランプ９の調光率に応じた照明器具３のみによる照度値の照度センサ４の出力電圧を記憶部２４から読み出して、当該出力電圧を照度入力部２０に入力された照度センサ４の出力電圧から減じる。この減算による値が外光による照度センサ４の出力電圧であるので、照明エリア１１の外光による照度値が得られる。
【００３７】
また、外光レベル演算部２１は、上記演算により得られた外光による照度値に対して、照度センサ４に入力される反射光のうちの照明エリア１１以外からの反射光による照度値を補正するように形成されている。すなわち、照度センサ４（センサ装置２）の窓６からの水平距離Ｌに応じて、上記演算された外光による照度値に予め設定された補正係数を乗算させる。この補正係数は、例えば、照度センサ４の窓６からの水平距離Ｌが２ｍ以下のときに１．０であり、水平距離Ｌが２〜３ｍのときに０．７であり、水平距離Ｌが３〜６ｍのときに１ｍ長くなるにしたがい０．１減少し、水平距離Ｌが６〜９ｍのときに０．３であり、水平距離Ｌが９〜１１ｍのときに０．２であり、水平距離Ｌが１１ｍを超えると０．１に設定している。これにより、図２に示す部屋７の天井面８に設置されている照度センサ４Ａ〜４Ｅの補正係数は、それぞれ１．０、０．４、０．２、０．１、０．１に設定されている。この補正係数も照度センサ４の位置情報であり、記憶部２４に予め記憶させている。そして、上記演算された外光による照度値に補正係数を乗算して得られた照度値を真の照明エリア１１の外光による照度値とするものである。
【００３８】
また、外光レベル演算部２１は、照度センサ４の他の位置情報に基づいて外光による照度値を演算するようにしてもよい。
【００３９】
ワイヤレス受信部２２は、ワイヤレス送信機１９から送信されたオンオフ制御信号や調光制御信号などの照明制御信号、目標照度の設定信号や解除信号などの外部信号、上述の補正係数を設定する設定信号および外光の照度値に対する補正係数の乗算を停止させる停止信号（外部信号）あるいは照度センサ４の位置情報を入力して制御部２８に送信するように構成されている。
【００４０】
ワイヤレス送信部２３は、制御部２８から送出された返信信号を送信用ＬＥＤ１６からワイヤレス送信機１９に向かって送信させるように構成されている。
【００４１】
記憶部２４は、蛍光ランプ９の調光率における照明器具３のみによる照度値に対する照度センサ４の出力電圧（検出値）、照明エリアの目標照度、補正係数、点灯装置１０の調光下限値および照度センサ４の位置情報などの諸データが記憶される。
【００４２】
伝送部２５は、ワイヤレス送信器１９から送信されワイヤレス受信部２２に入力された照明制御信号などの他、制御部２８により演算生成された調光信号を照明器具３に信号線２９を介して送信するように構成されている。
【００４３】
表示部２６は、センサ装置２の表示用ＬＥＤ１７に接続され、制御部２８の制御により表示用ＬＥＤ１７を点灯または消灯させるように構成されている。すなわち、制御部２８は、目標照度が記憶部２４に格納されているときに表示用ＬＥＤ１７を点灯させる制御信号を表示部２６に送出し、目標照度が記憶部２４に格納されていないときに表示用ＬＥＤ１７を消灯させる制御信号を表示部２６に送出する。
【００４４】
電源部２７は、商用交流電源Ｖｓに接続され、交流電圧を直流電圧に変換すると共に、所定の電圧値に調整して、制御部２８やその他の各構成部に駆動電源を供給するように構成されている。
【００４５】
制御部２８は、ＣＰＵ、ＲＡＭおよびプログラムが格納されたＲＯＭなどを具備している。そして、照明器具３による照度値と外光による照度値の合計が目標照度となるように、蛍光ランプ９の調光率を制御するように構成されている。すなわち、蛍光ランプ９の調光率に応じた調光信号例えばＰＷＭ調光信号を演算生成して、伝送部２５を介して照明器具３の点灯装置１０に送信する。
【００４６】
また、制御部２８は、ワイヤレス送信機１９から外光の照度値に対する補正係数の乗算を停止させる外部信号としての停止信号が送信され、センサ装置２の受信素子１５およびワイヤレス受信部２２を介して入力されると、外光レベル演算部２１に対して、外光の照度値に対する補正係数の乗算を停止させるように制御する。これにより、外光レベル演算部２１は、照度入力部２０に入力された照度値から外光による照度値を演算するのみである。さらに、制御部２８は、目標照度の設定の有無を表示用ＬＥＤ１７に表示させるために表示部２６を制御するなど、各構成部の制御を行うように構成されている。
【００４７】
なお、照明制御装置５および照度センサ４は、図３に示すセンサ装置２のように一体的である必要はなく、それぞれ別体に構成されていてもよい。
【００４８】
次に、本発明の一実施形態の作用について述べる。
【００４９】
太陽の位置が高い昼間などにおいて、窓６から入射される太陽光などにより、照明エリア１１の外光による照度値は、例えば図５に示す曲線Ａのようになり、部屋７の窓６から奥側にいくにしたがい、急速に減少していく。
【００５０】
しかし、太陽の位置が低くなり、窓６に西日が入射されるようになると、その入射光の一部あるいは窓６などの照明エリア１１以外で反射した反射光が天井８側を照射するようになり、窓６から奥側の照度センサ４にも太陽光による入射光や反射光が入射されるようになる。また、ブラインド３０（図１に示す。）の昇降状態や開閉状態によっても、同じく、照度センサ４に太陽光による入射光や反射光が入射されることがある。これにより、外光レベル演算部２１による演算により、照明エリア１１の外光による照度値は、例えば曲線Ｂに示すようになる。制御部２８は、照明エリア１１の照度値を目標照度に制御するので、外光による照度値が増加すると、蛍光ランプ９の調光率を変化させて、照明器具３による照度値を減少させる。すなわち、照明エリア１１は、曲線Ａおよび曲線Ｂの照度センサ４の位置における照度値の差分、目標照度から暗くなる。
【００５１】
ここで、外光レベル検出部２１は、照度入力部２０に入力された照度値から演算した外光による照度値に対して、照度センサ４の窓６からの水平距離Ｌに応じた補正係数を乗算する補正を行う。すなわち、照度センサ４Ａ〜４Ｅから照明エリア１１の照度値が入力されるそれぞれの照明制御装置５の外光レベル演算部２１は、演算した外光による照度値に対してそれぞれの補正係数１．０、０．４、０．２、０．１、０．１を乗算する。これにより、外光による照度値は、曲線Ｂから曲線Ｃのように補正（変換）される。
【００５２】
そして、制御部２８は、照明器具３による照度値が目標照度から外光レベル演算部２１により演算かつ補正された外光による照度値を減じた値となるように、蛍光ランプ９の調光率を制御する。この結果、照明エリア１１は、曲線Ｂおよび曲線Ｃの照度センサ４の位置における照度値の差分、目標照度から暗くなる。しかし、当該差分の照度値は、小さく、曲線Ａおよび曲線Ｂの照度センサ４の位置における差分の照度値より大幅に改善されたものとなる。すなわち、照明エリア１１は、目標照度に近い照度値で照明される。
【００５３】
そして、通常時、例えば太陽の位置が高い昼間などにおいて、照明エリア１１の外光による照度値は、例えば曲線Ａのようになっている。ここで、上述したように、外光レベル演算部２１により演算した外光による照度値に対して補正を行うと、照明エリア１１の外光による照度値は、曲線Ｄのように補正（変換）される。そして、制御部２８は、蛍光ランプ９の調光率を変化させて、曲線Ａおよび曲線Ｄの照度センサ４の位置における照度値の差分、照明器具３による照度値を上昇させる。これにより、照明エリア１１は、目標照度に当該差分の照度値を加算した照度値で照明される。しかし、当該差分の照度値は、非常に小さく、照明エリア１１は、略目標照度で照明される。
【００５４】
そして、ワイヤレス送信機１９から演算した外光の照度値に対する補正係数の乗算を停止させる停止信号を送信することにより、外光レベル演算部２１において、演算した外光による照度値に対する補正が行われなくなるので、通常時、照明エリア１１は、目標照度で照明される。ここで、外光レベル演算部２１は、補正の停止として、演算した外光の照度値に補正係数１．０を乗算するようにしてもよい。
【００５５】
また、外光レベル演算部２１は、照度センサ４の窓６からの水平距離Ｌの位置情報以外の位置情報に基づいて、外光による照度値を演算するようにしてもよい。
【００５６】
上述したように、照明エリア１１は、西日などの特異な外光による照度値が補正されて、目標照度あるいは目標照度に近い照度で照明される。そして、外光レベル演算部２１において、特異な外光による照度値の補正が行われるようにして、窓６などに外光検出手段などを設けず、あるいは照明エリア１１の照度値を計測する照度計測手段などを配設しないので、照明制御装置５および照明装置１が簡素化され、安価にされる。
【００５７】
なお、図２において、照度センサ４は、複数列の照明器具３に対して１個設けるようにしてもよい。また、外光レベル演算部２１による外光による照度値の補正は、照明エリア１１以外から照度センサ４に入力される反射光による照度値を除去または低減させるものであればよい。
【００５８】
【発明の効果】請求項１の発明によれば、外光レベル演算手段により、外光による照度値に対して照明エリア以外からの反射光による照度値が補正され、制御手段により、補正された外光による照度値および照明器具による照度値の合計が予め設定された目標照度となるように照明負荷の調光率が制御されるので、太陽光の西日やブラインドの反射光などの特異な外光によらず、照明エリアを目標照度の照度で照明することができる。
【００５９】
請求項２の発明によれば、外光レベル演算手段により、照度センサの位置情報に基づいて照明エリアの外光による照度値が演算され、制御手段により、当該演算された外光による照度値および照明器具による照度値の合計が予め設定された目標照度となるように照明負荷の調光率が制御されるので、太陽光の西日やブラインドの反射光などの特異な外光によらず、照明エリアを目標照度の照度で照明することができる。
【００６０】
請求項３の発明によれば、外光レベル演算手段は、照度センサの窓からの水平距離に応じて外光による照度値を演算するので、外光による照度値を容易に演算することができる。
【００６１】
請求項４の発明によれば、外光レベル演算手段における外光による照度値に対して照明エリア以外からの反射光による照度値の補正を外部信号により停止させることにより、照度入力手段に入力される照度センサからの照明エリアの照度値に応じて、制御手段により照明負荷の調光率が制御されるので、特異な外光が照度センサに入射されるおそれがないときに、照明エリアを目標照度で照明することができる。
【００６２】
請求項５の発明によれば、太陽光の西日やブラインドの反射光などの特異な外光によらず、照明エリアを目標照度の照度値で照明させることのできる照明装置を提供することができる。
【図面の簡単な説明】
【図１】本発明の一実施の形態を示す照明装置の概略構成図。
【図２】同じく、センサ装置および照明器具の概略配置図。
【図３】同じく、センサ装置の斜視図。
【図４】同じく、照明制御装置のブロック図。
【図５】同じく、窓からの水平距離による外光の照度値の変化を示す説明図。
【符号の説明】
１…照明装置、３…照明器具、４…照度センサ、５…照明制御装置、２０…照度入力手段としての照度入力部、２１…外光レベル演算手段としての外光レベル演算部、２３…位置情報入力手段としてのワイヤレス受信部、２４…記憶手段としての記憶部、２８…制御手段としての制御部
【図１】
2004303663.tif 000003
【図２】
2004303663.tif 000004
【図３】
2004303663.tif 000005
【図４】
2004303663.tif 000006
【図５】
2004303663.tif 000007